【手続補正書】
【提出日】平成24年8月10日(2012.8.10)
【手続補正１】
【補正対象書類名】明細書
【補正対象項目名】００１３
【補正方法】変更
【補正の内容】
【００１３】
データゾーン９２は、主たる記録エリアであり、いわゆるユーザデータの記録が行われる。ここでいうユーザデータとは、映像データ、音声データ、テキストデータ、コンピュータ使用データ、ソフトウエアプログラム等、光ディスク９０を用いての保存の主たる対象のデータのことである。
内周エリア９１は、いわゆる管理領域として用いられる。
なお、記録層が１つの１層ディスクの場合は、いわゆるリードインゾーンとして用いられる領域である。記録層が複数の多層ディスクの場合、この内周エリアは、各層毎に、リードインゾーン、インナーゾーン、リードアウトゾーン等として用いられる。内周エリア９１にはディスクの物理情報、記録再生動作の設定情報、領域構成や交替を管理する情報、試し書き領域などが形成される。
外周エリア９３は、１層ディスクの場合は、いわゆるリードアウトゾーンとして用いられる領域である。記録層が複数の多層ディスクの場合、この外周エリアは、各層毎に、リードアウトゾーン又はアウターゾーンとして用いられる。
【手続補正２】
【補正対象書類名】明細書
【補正対象項目名】００２８
【補正方法】変更
【補正の内容】
【００２８】
エンコード／デコード部７は、再生時おける再生データの復調と、記録時における記録データの変調処理を行う。即ち、再生時にはデータ復調、デインターリーブ、ＥＣＣデコード、アドレスデコード等を行い、また記録時にはＥＣＣエンコード、インターリーブ、データ変調等を行う。
再生時においては、上記データ検出処理部５で復号された２値データ列がエンコード／デコード部７に供給される。エンコード／デコード部７では上記２値データ列に対する復調処理を行い、光ディスク９０からの再生データを得る。即ちＲＬＬ（１，７）ＰＰ変調が施されて光ディスク９０に記録されたデータに対しての復調処理と、エラー訂正を行うＥＣＣデコード処理を行って、光ディスク９０からの再生データを得る。
エンコード／デコード部７で再生データにまでデコードされたデータは、ホストインターフェース８に転送され、システムコントローラ１０の指示に基づいてホスト機器１００に転送される。ホスト機器１００とは、例えばコンピュータ装置やＡＶ（Audio-Visual）システム機器などである。
【手続補正３】
【補正対象書類名】明細書
【補正対象項目名】００６２
【補正方法】変更
【補正の内容】
【００６２】
先ず、第１例においては、図４，図５により説明した相対透過率に基づく補正係数テーブル１０ａを、ディスクドライブ装置のシステムコントローラが保持する。
図６は、補正係数テーブル１０ａの内容例を模式的に示している。
この図に示す補正係数テーブル１０ａは、再生対象記録層と、記録層ごとの記録済み／未記録の状態パターン（層状態パターン）との組み合わせに対応させて、レーザパワーについての補正係数の値を格納した構造を有する。なお、図における層状態パターンの表記としては、図の紙面左下側にも記載しているように、[  ／  ]内にて、／の左側において記録済み状態の層を示し、右側において未記録状態の層を示すこととしている。
【手続補正４】
【補正対象書類名】明細書
【補正対象項目名】００７９
【補正方法】変更
【補正の内容】
【００７９】
そして、総合相対透過率Trについては、図示しているように、図８（ａ）の場合にはTr=r1、図８（ｂ）の場合には、Tr=r2、図８（ｃ）の場合には、総合相対透過率Tr=r1*r2、図８（ｄ）の場合には、総合相対透過率Tr=r1*r3、図８（ｅ）の場合には、総合相対透過率Tr=r2となる。
【手続補正５】
【補正対象書類名】明細書
【補正対象項目名】００９３
【補正方法】変更
【補正の内容】
【００９３】
システムコントローラ１０では、システムファイルなどに基づき、各記録層の間での物理的に同じディスク位置に在るとされるアドレスの対応を把握している。つまり、現在の再生対象記録層における再生位置のアドレスと物理的に同じ位置に在るとされる透過記録層のアドレスが認識できる。
従って、ステップＳ２０５における記録済み領域部分と未記録領域部分との間での変化の判定は、ステップＳ２０１にて取得した記録情報から、現在の再生アドレスと物理的に同じディスク位置での透過記録層のアドレスが、記録済み領域部分と未記録領域部分の何れに該当するのかを判断していれば可能であることになる。
【手続補正６】
【補正対象書類名】明細書
【補正対象項目名】００９６
【補正方法】変更
【補正の内容】
【００９６】
そこで、第３例においては、透過記録層の記録済み領域部分と未記録領域部分との境界近傍に対応して、次のようにして補正係数を設定することとした。
例えば、図１１（ａ）のように、システムコントローラ１０が記録層Ｌ１における境界bndの近傍をレーザ光Lsが透過していると認識しているとする。なお、図１１においては、記録層Ｌ２，Ｌ３は未記録の状態であるとする。すると、実際においては、可能性として、図１１（ｂ）に示すようにして、記録層Ｌ１の記録済み領域部分を透過している状態、若しくは図１１（ｃ）の記録層Ｌ１の未記録領域部分を透過している状態の２通りが考えられる。
ここで、図１１（ｂ）に示す層状態パターンは、透過記録層のうち、記録層Ｌ１が記録済みで、記録層Ｌ２，Ｌ３が未記録状態であるとみることができる。この場合、補正係数テーブル１０ａによれば、補正係数は、1/(r2*r3)となる。
また、図１１（ｃ）に示す層状態パターンは、透過記録層のうち、記録層Ｌ１，Ｌ２，Ｌ３が未記録状態であることになる。この場合の補正係数は、1/(r1*r2*r3)となる。つまり、補正係数としても２通りとなる。
【手続補正７】
【補正対象書類名】明細書
【補正対象項目名】００９９
【補正方法】変更
【補正の内容】
【００９９】
また、３以上の記録層がデータ記録済みである場合には、２以上の透過記録層において同時に、記録済み領域部分と未記録領域部分の境界近傍をレーザ光が透過する状態となる場合がある。
このような場合の例を図１２に示す。
この場合には、図１２（ａ）に示すように、記録層Ｌ０〜Ｌ３がデータ記録済みで、記録層Ｌ０を再生対象記録層としているときに、記録層Ｌ０、Ｌ３において同時に境界bndの近傍となった場合を例に挙げている。
この場合は、実際の透過層の層状態パターンとして、図１２（ｂ）（ｃ）（ｄ）（ｅ）の４通りの可能性がある。
図１２（ｂ）は、記録層Ｌ１，Ｌ３が何れも記録済み領域部分であることで、透過記録層である記録層Ｌ１〜Ｌ３が全て記録済み状態となる場合を示す。これに応じて図９の補正係数テーブル１０ａから求められる補正係数（補正係数項Sd1）は、Sd1=1となる。
図１２（ｃ）は、記録層Ｌ１が記録済み領域部分であるのに対して記録層Ｌ３が未記録領域部分とされていることで、透過記録層のうち、記録層Ｌ１，Ｌ２が記録済み状態、記録層Ｌ３が未記録状態となる場合を示す。このときは、補正係数項Sd2=1/r3となる。
図１２（ｄ）は、記録層Ｌ１が未記録領域部分であるのに対して記録層Ｌ３が記録済み領域部分とされていることで、透過記録層のうち、記録層Ｌ２，Ｌ３が記録済み状態で、記録層Ｌ１が未記録状態となる場合を示す。このときは、補正係数項Sd3=1/r1となる。
図１２（ｅ）は、記録層Ｌ１、Ｌ３の何れもが未記録領域部分とされていることで、透過記録層のうち、記録層Ｌ２のみが記録済み状態で、記録層Ｌ１，Ｌ３が未記録状態となる場合を示す。このときは、補正係数項Sd4=1/(r1*r3)となる。
【手続補正８】
【補正対象書類名】明細書
【補正対象項目名】０１０４
【補正方法】変更
【補正の内容】
【０１０４】
ステップＳ３０２において否定の判別結果が得られる場合とは、現再生位置に対応する透過記録層のアドレスについて、偏芯の影響を受けているとしても、記録済み領域部分若しくは未記録領域部分であることが確実であると推定される程度に、境界のアドレスから離れている場合となる。
この場合においては、ステップＳ３０３により、補正係数Adを取得する。このステップＳ３０３の処理としては、図１０のステップＳ２０２と同様になる。つまり、補正係数テーブルから取得した補正係数を、そのまま補正係数Adとして設定する。
【手続補正９】
【補正対象書類名】明細書
【補正対象項目名】０１０５
【補正方法】変更
【補正の内容】
【０１０５】
これに対して、ステップＳ３０２において肯定の判別結果が得られた場合には、ステップＳ３０４、Ｓ３０５の処理を実行して補正係数Adを取得する。
ステップＳ３０４においては、図１１，図１２により説明したようにして、現在の再生対象記録層により出現可能性があるｎ通りの透過記録層の層状態パターンごとに対応する補正係数項Sd1〜Sdnを、図９の補正係数テーブル１０ａから取得する。
ステップＳ３０５においては、取得した補正係数項Sd1〜Sdnの平均値avrを求めたうえで、この平均値avrを補正係数Adに代入する。